(57)【特許請求の範囲】
【請求項１】
建物アイコンを有する地図情報に対して、個々の部屋に割り当てられた水栓番号と関連付けられた部屋番号情報を有する建物情報を関連付け、前記建物情報に対して水栓番号を有する居住者情報を関連付けることで、地図上に居住者に関する情報を紐付けて管理する為のマッピングサーバと、前記地図情報、前記建物情報、前記居住者情報、水栓番号と関連付けられた上水道情報、水栓番号と関連付けられた上水道の使用情報、を記憶した記憶部と、を備えたマッピングシステムであって、
前記マッピングサーバは、前記建物アイコンに対して前記建物情報を関連付ける建物紐付手段と、
前記建物紐付手段によって前記地図情報に関連付けられた建物情報に対して、水栓番号に基づいて居住者情報の関連付けを行う居住者紐付手段と、
水道関連業務によって収集された、水栓番号を有するデータである水栓統合情報の入力を受け付ける受付手段と、
前記記憶部に記憶された情報を更新するために、入力された前記水栓統合情報の水栓番号に基づいて、前記記憶部から対応する情報の抽出を行う抽出手段と、
前記地図情報を出力するマッピング手段と、
前記マッピング手段によって出力された建物アイコンへの選択入力に対し、前記建物アイコンに関連付けられた水栓番号に基づいて情報の出力を行う出力手段と、を有することを特徴とするマッピングシステム。
【請求項２】
前記マッピングサーバは、前記建物情報又は居住者情報の有する何れかの項目の内、１以上を用いて対象となる建物アイコンの絞込を行う絞込手段と、
前記絞込手段によって導出された前記建物情報又は居住者情報と関連付けられた建物アイコンの色を変更する変更手段と、を有することを特徴とする請求項１に記載のマッピングシステム。
【請求項３】
前記マッピング手段は、外部端末に前記地図情報を出力するに際して、選択された所定の範囲に関る地図を画像化して出力することを特徴とする請求項１又は請求項２に記載のマッピングシステム。
【請求項４】
前記建物情報は、貯水槽情報を有することを特徴とする請求項１〜３の何れかに記載のマッピングシステム。
【請求項５】
建物アイコンを有する地図情報に対して、個々の部屋に割り当てられた水栓番号と関連付けられた部屋番号情報を有する建物情報を関連付け、前記建物情報に対して水栓番号を有する居住者情報を関連付けることで、地図上に居住者に関する情報を紐付けて管理する為のマッピングサーバであって、
前記建物アイコンに対して、前記建物情報を関連付ける建物紐付手段と、
前記建物紐付手段によって前記地図情報に関連付けられた建物情報に対して、水栓番号に基づいて居住者情報の関連付けを行う居住者紐付手段と、
水道関連業務によって収集された、水栓番号を有するデータである水栓統合情報の入力を受け付ける受付手段と、
水栓番号と関連付けられた情報を更新するために、入力された前記水栓統合情報の水栓番号に基づいて、対応する情報の抽出を行う抽出手段と、
前記地図情報を出力するマッピング手段と、
前記マッピング手段によって出力された建物アイコンへの選択入力に対し、前記建物アイコンに関連付けられた水栓番号に基づいて情報の出力を行う出力手段と、を有することを特徴とするマッピングサーバ。
【請求項６】
建物アイコンを有する地図情報に対して、個々の部屋に割り当てられた水栓番号と関連付けられた部屋番号情報を有する建物情報を関連付け、前記建物情報に対して水栓番号を有する居住者情報を関連付けることで、地図上に居住者に関する情報を紐付けて管理する為のマッピングプログラムであって、
前記建物アイコンに対して、前記建物情報を関連付ける建物紐付手段と、
前記建物紐付手段によって前記地図情報に関連付けられた建物情報に対して、水栓番号に基づいて居住者情報の関連付けを行う居住者紐付手段と、
水道関連業務によって収集された、水栓番号を有するデータである水栓統合情報の入力を受け付ける受付手段と、
水栓番号と関連付けられた情報を更新するために、入力された前記水栓統合情報の水栓番号に基づいて、対応する情報の抽出を行う抽出手段と、
前記地図情報を出力するマッピング手段と、
前記マッピング手段によって出力された建物アイコンへの選択入力に対し、前記建物アイコンに関連付けられた水栓番号に基づいて情報の出力を行う出力手段と、としてコンピュータを機能させることを特徴とするマッピングプログラム。
【発明の詳細な説明】
【技術分野】
【０００１】
本発明は、地図情報に対して、建物情報並びに居住者情報を紐づけたマッピングシステムに関る。
【背景技術】
【０００２】
従来、電子的な地図情報に対して種々の付加情報を加え、コンピュータ上で表示、管理、計算などを行うための地理情報システム（GIS: Geographic Information System）が利用されている。GISで表示される情報は非常に多岐に渡り、不動産や都市インフラ（道路、電気、ガス、上下水道等）、人工、災害等に関る情報を必要に応じて利用することで、シミュレーションやリアルタイムマッピング、都市計画の構築等、様々な分野において活用されている。
【０００３】
IT技術の進歩に伴って、官公庁におけるGISの利用が注目されていた。また、住民基本台帳による情報の一元化に伴って、地方公共団体等における種々のデータについて一元的な管理が求められていた。しかしながら、一元的な管理を行うシステムの構築、及びその運用には高額な予算が必要となることから、GISを用いた一元的な情報管理を可能とするシステムの普及が阻害されていた。
【０００４】
特許文献１には、地理情報並びに水栓情報に基づいて居住者の情報を管理する地理情報システムに関する技術が記載されている。特許文献１に記載の技術によって、住民基本台帳によって管理されうる住民に関する種々の情報を、住民の居所に関る情報と効率的に紐付けることが可能となった。
【先行技術文献】
【特許文献】
【０００５】
【特許文献１】特開２００８−５９４３５号公報
【発明の概要】
【発明が解決しようとする課題】
【０００６】
特許文献１に記載の技術によって、住民基本台帳に関る情報を効率的に関連付けすることが可能になった。しかしながら、実際上の業務における活用方法に関しては言及されていない。特に、水道関連の業務を提供する部門において、効率的な活用を促す構成ともなっていない。
【０００７】
また、集合住宅で増築が行われて部屋が増加した場合や、GISの基本となる地図情報が更新された場合、居住者が転居した場合等、における効率的な情報更新を行う構造になっていなかった。
【０００８】
本発明は、上記のような実状に鑑みてなされたものであり、運用の効率化及び、効果的な利用を可能とするマッピングシステムを提供することを課題とする。
【課題を解決するための手段】
【０００９】
上記課題を解決するために、本発明は、建物アイコンを有する地図情報に対して、個々の部屋に割り当てられた水栓番号と関連付けられた部屋番号情報を有する建物情報を関連付け、前記建物情報に対して水栓番号を有する居住者情報を関連付けることで、地図上に居住者に関する情報を紐付けて管理する為のマッピングサーバと、前記地図情報、前記建物情報、前記居住者情報、水栓番号と関連付けられた上水道情報、水栓番号と関連付けられた上水道の使用情報、を記憶した記憶部と、を備えたマッピングシステムであって、
前記マッピングサーバは、前記建物アイコンに対して前記建物情報を関連付ける建物紐付手段と、
前記建物紐付手段によって前記地図情報に関連付けられた建物情報に対して、水栓番号に基づいて居住者情報の関連付けを行う居住者紐付手段と、
水道関連業務によって収集された、水栓番号を有するデータである水栓統合情報の入力を受け付ける受付手段と、
前記記憶部に記憶された情報を更新するために、入力された前記水栓統合情報の水栓番号に基づいて、前記記憶部から対応する情報の抽出を行う抽出手段と、
前記地図情報を出力するマッピング手段と、
前記マッピング手段によって出力された建物アイコンへの選択入力に対し、前記建物アイコンに関連付けられた水栓番号に基づいて情報の出力を行う出力手段と、を有することを特徴とする。
【００１０】
本発明の好ましい形態では、前記マッピングシステムは、水栓番号を有する水栓統合情報の入力を受け付ける受付手段と、
前記水栓統合情報の水栓番号に基づいて、前記記憶部から情報の抽出を行う抽出手段と、
抽出された情報及び前記水栓統合情報を比較し、変更された項目の導出を行う比較手段と、を有することを特徴とする。
【００１１】
このような構成とすることで、水栓番号と関連付けられた情報に変更があった際などに効果的に情報更新を行うことができ、その運用に係る効率を上げることができる。水栓情報は、上水道の利用に対して一意に決定される不変の番号であり、この情報を紐づけた建物情報が地図情報に紐付いたことで、情報の更新作業などの運用が極めて容易な地図データを構築することが可能である。
【００１２】
本発明の好ましい形態では、集合住宅に関る建物情報は、個々の水栓番号と関連付いた部屋番号情報を有することを特徴とする。
【００１３】
このような構成とすることで、集合住宅の場合であっても戸建ての住宅と同様に効率的に管理を行うことができる。この部屋番号情報に対して水栓番号が関連付いていることにより、複数の部屋を持つ集合住宅の、個々の居住者についての情報を関連付けることができる。
【００１４】
本発明の好ましい形態では、前記マッピングサーバは、地図上で選択された前記建物アイコンに基づいて、前記建物情報を出力する出力手段を有することを特徴とする。
【００１５】
このような構成とすることで、必要な情報を直観的に表示させることができる。
【００１６】
本発明の好ましい形態では、前記マッピングサーバは、前記建物情報又は居住者情報の有する何れかの項目の内、１以上を用いて対象となる建物アイコンの絞込を行う絞込手段と、
前記絞込手段によって導出された前記建物情報又は居住者情報と関連付けられた建物アイコンの色を変更する変更手段と、を有することを特徴とする。
【００１７】
このような構成とすることで、対象となる建物を瞬時に導出し、見分けることができる。また、その情報が地図上に表示されることにより、様々な業務において用いられる種々の情報を、効率的に表示することができる。
【００１８】
本発明の好ましい形態では、前記マッピング手段は、外部端末に前記地図情報を出力するに際して、選択された所定の範囲に関る地図を画像化して出力することを特徴とする。
【００１９】
地図情報には個々の居住者に関る個人情報などが紐づけられてもよく、それらを参照可能に、マッピングシステムを構築することもできる。このような構成とすることで、セキュリティ性を保ちながら、外部の端末などに業務で使用する地図データを提供することができる。
【００２０】
本発明の好ましい形態では、前記建物情報は、貯水槽情報を有することを特徴とする。
【００２１】
このような構成とすることで、水道関連業務で行われる断水時等に際して効果的に対象となる建物を導出することができ、建物の見落としなどを無くすことができる。
【００２２】
本発明は、建物アイコンを有する地図情報に対して、個々の部屋に割り当てられた水栓番号と関連付けられた部屋番号情報を有する建物情報を関連付け、前記建物情報に対して水栓番号を有する居住者情報を関連付けることで、地図上に居住者に関する情報を紐付けて管理する為のマッピングサーバであって、
前記建物アイコンに対して、前記建物情報を関連付ける建物紐付手段と、
前記建物紐付手段によって前記地図情報に関連付けられた建物情報に対して、水栓番号に基づいて居住者情報の関連付けを行う居住者紐付手段と、
水道関連業務によって収集された、水栓番号を有するデータである水栓統合情報の入力を受け付ける受付手段と、
水栓番号と関連付けられた情報を更新するために、入力された前記水栓統合情報の水栓番号に基づいて、対応する情報の抽出を行う抽出手段と、
前記地図情報を出力するマッピング手段と、
前記マッピング手段によって出力された建物アイコンへの選択入力に対し、前記建物アイコンに関連付けられた水栓番号に基づいて情報の出力を行う出力手段と、を有することを特徴とする。
【００２３】
本発明は、建物アイコンを有する地図情報に対して、個々の部屋に割り当てられた水栓番号と関連付けられた部屋番号情報を有する建物情報を関連付け、前記建物情報に対して水栓番号を有する居住者情報を関連付けることで、地図上に居住者に関する情報を紐付けて管理する為のマッピングプログラムであって、
前記建物アイコンに対して、前記建物情報を関連付ける建物紐付手段と、
前記建物紐付手段によって前記地図情報に関連付けられた建物情報に対して、水栓番号に基づいて居住者情報の関連付けを行う居住者紐付手段と、
水道関連業務によって収集された、水栓番号を有するデータである水栓統合情報の入力を受け付ける受付手段と、
水栓番号と関連付けられた情報を更新するために、入力された前記水栓統合情報の水栓番号に基づいて、対応する情報の抽出を行う抽出手段と、
前記地図情報を出力するマッピング手段と、
前記マッピング手段によって出力された建物アイコンへの選択入力に対し、前記建物アイコンに関連付けられた水栓番号に基づいて情報の出力を行う出力手段と、としてコンピュータを機能させることを特徴とする。
【発明の効果】
【００２４】
運用の効率化及び、効果的な利用を可能とするマッピングシステムを提供することができる。
【図面の簡単な説明】
【００２５】
【図１】本願発明の一実施形態に関るマッピングシステムの機能ブロック図である。
【図２】本願発明の一実施形態に関るマッピングサーバのハードウェア構成図である。
【図３】本願発明の一実施形態に関るデータテーブルである。
【図４】本願発明の一実施形態に関るデータテーブルである。
【図５】本願発明の一実施形態に関る表示画面例である。
【図６】本願発明の一実施形態に関る表示画面例である。
【図７】本願発明の一実施形態に関る表示画面例である。
【図８】本願発明の一実施形態に関る建物アイコンの紐付けフローチャートである。
【図９】本願発明の一実施形態に関る居住者情報の更新フローチャートである。
【図１０】本願発明の一実施形態に関る絞込表示のフローチャートである。
【発明を実施するための形態】
【００２６】
図１〜図１０を用いて、本発明の一実施形態に関るマッピングシステムについて説明する。本発明は、建物アイコンが紐付けられた地図情報に対して、水栓番号に基づいて建物情報並びに居住者情報の紐付けを行うことで、情報地図の構築並びにその運用を効率化するマッピングシステムを提供するものである。以下の実施形態の構成は例示であり、本発明は実施形態の構成に限定されない。
【００２７】
本実施形態における建物アイコンとは、任意の形状で表されるシンボルマークや、閉領域によって表される面であるポリゴン、ポイント（点）等の少なくとも１つ以上によって、地図上に建物の位置を表現するものである。また、その他、河川や山、道路、等高線、領域線、配管、任意道順、営業や検針時のルート、等をシンボルマークやポリゴン、ライン、ポイント等で表現してもよい。
【００２８】
このマッピングシステムは、水道関連業務によって水栓情報に関連付いて収集される水栓統合情報に基づいて運用がなされていく性質のものである。そのため、例えば、官公庁の各部門における横断的なシステムや、水道関連業務を提供する事業者等によって利用がなされる。水栓統合情報が取得可能であれば、上記以外の主体によっても本発明を利用することが可能である。また、運用は前述した水栓統合情報の取得可能な主体が行い、出力される情報の利用は他者が行うように構成してもよい。
【００２９】
図１は、マッピングシステムの機能ブロック図である。ここで、符号１はマッピングシステムを、符号２はマッピングサーバを、符号３は、記憶部をそれぞれ示している。次いでそれらの詳細について説明する。
【００３０】
図２は、マッピングサーバ２のハードウェア構成を示す図である。ＣＰＵ１００には、メモリ１０１、通信装置１０２、入出力装置１０３、ハードディスク１０４が接続されている。ハードディスク１０４には、オペレーティングシステム１０５、マッピングプログラム１０６などが記録されている。マッピングプログラム１０６は、オペレーティングシステム１０５と協調してその機能を発揮するものである。
【００３１】
マッピングサーバ２は、地図情報に対して建物情報の紐付けを行う建物紐付手段４と、建物情報に対して居住者情報の紐付けを行う居住者紐付手段５と、地図情報の表示を行うマッピング手段６と、選択された建物アイコンに基づいて対応する建物情報や居住者情報等を表示する出力手段７と、外部端末に対して地図情報等の提供を行う外部出力手段８と、水栓番号を有するデータである水栓統合情報の入力を受け付ける受付手段９と、入力された水栓統合情報に基づいて対応する居住者情報の抽出を行う抽出手段１０と、抽出された居住者情報及び入力された居住者情報の比較表示を行う比較手段１１と、選択された条件に基づいて該当する建物アイコンの絞込を行う絞込手段１２と、建物アイコンの表示の変更を行う変更手段１３と、を備えている。
【００３２】
記憶部３は、地図上にある建物に対応して配置された建物アイコンを有した地図情報と、建物に関連した情報である建物情報と、建物の居住者に関連した情報である居住者情報と、水道関連業務に使用する上水道情報と、水道関連業務によって収集された上水道の使用情報と、その他居住者情報に対して統合される統合情報と、を有している。
【００３３】
建物紐付手段４は、地図情報の各建物アイコンに対して建物情報の紐付けを行う。建物情報は、図３（ａ）に示すように、建物ＩＤ、水栓番号、建物名、建物の用途、所有者名、住所、貯水槽の有無等に関する貯水槽情報、等である。建物アイコンに対してこの建物ＩＤ乃至は水栓番号を関連付けることによって、前記地図情報と前記建物情報と、が紐づけられ、本システムにおけるマッピングデータの基盤が出来上がる。
【００３４】
居住者紐付手段５は、居住者情報の紐付けを行う。居住者情報は、図３（ｂ）に示すように、水栓番号、部屋番号、水道の使用者である使用者名、電話番号、等である。前記居住者情報は、水栓番号によって建物情報と関連付けられている。戸建ての場合には、部屋番号は空欄等にしておく。建物アイコン乃至は建物情報と居住者情報の紐付けは、居住者情報紐付手段５による個別の紐付けにより行われてもよいし、後述する受付手段９において、自動的に紐付けられる様に構成してもよい。
【００３５】
また、更に、水道関連業務に関る上水道情報や使用情報などを、建物情報乃至は居住者情報と紐付けて入力可能であってもよい。上水道情報は、図４（ａ）、図４（ｂ）に示すように、水栓番号、メータに関する情報、給水方式や受水槽に関する情報、検針業務に関する情報、などを記録している。使用情報は、図４（ｃ）に示すように、水栓番号、該当月の水道の使用量、検針日、使用人数、などを記録している。例えば、水道メータの検針区分や、作成された検針ルート情報、担当者情報等が紐付け可能であるのがよい。
【００３６】
マッピング手段６は、地図情報の表示を行う。図５は、マッピング手段６によって地図情報が表示された際の画面例を示す。マッピング手段６において、建物アイコン以外の情報表示、例えば、上水道管や下水道管、水道のメータ位置、河川、道路、任意のルートなどが表示されるように構成しても構わない。また、建物アイコンに前記建物名や、前記所有者名、前記居住者名などを表示するようにしてもよい。
【００３７】
出力手段７は、前記マッピング手段６において表示された建物アイコンに対する選択入力に基づいて、対応する建物情報や、居住者情報、上水道情報、使用情報、統合情報、等の表示を行う。ここで、統合情報とは、例えば、住民基本台帳に記録された情報や、居住者の構成に関する居住者調査の情報、家族構成に関する情報、税金の支払いに関する情報、電気・ガス、下水道に関する情報、等、水道関連業務とは別個に取得される情報である。これらの情報を、前記居住者情報と紐付けておくことにより、地図上への直観的な情報表示や、地図上でのデータ分析等、様々な業務に利用することができる。
【００３８】
外部出力手段８は、マッピング手段６や出力手段７等における情報を、外部端末に対して出力する。外部端末とは、例えば検針者が携帯する携帯端末等である。マッピングデータとして、前記マッピング手段６や前記出力手段７等によって提供される機能をそのまま利用可能に出力してもよいし、画像化して提供するようにしてもよい。また、出力の対象となる利用者ごとに、出力の方法を切り替えられるようにしてもよい。本システムにおいて利用されるデータには個人情報が含まれる場合があり、外部端末への地図情報の提供を画像化して行うことによって、検針者が携帯端末を紛失したような場合の情報流出を最小限に抑えることができる。
【００３９】
受付手段９は、水栓番号を有する水栓統合情報、例えば、水道業務でメータ検針された使用者情報や、水栓番号と関連付けられた水道の使用情報等の入力を受け付ける。この使用者情報には水栓番号が含まれており、この水栓番号に基づいて、それぞれの建物に実際に居住している居住者についてのデータを取得することができる。
【００４０】
抽出手段１０は、受付手段９によって取得した水栓番号と同様の水栓番号について、記憶部３に記憶された居住者情報や建物情報、上水道情報、統合情報等を抽出する。この抽出の結果、居住者情報などの何れかの項目に変更がある場合には、その変更状況を比較手段１１で表示する。これにより、水栓番号と関連付けられた情報に変更があった場合などには、極めて効率的に変更の反映を行うことができる。建物情報や上水道情報、統合情報などを、水栓番号を有する形で作成して受付手段９で読込むことにより、種々の情報の更新を効率的に行うことができる。
【００４１】
絞込手段１２は、指定された条件に基づいて、該当する建物情報、居住者情報、上水道情報、統合情報などを導出する。
【００４２】
変更手段１３は、前記絞込手段１２によって導出された情報に基づいて、マッピング手段６によって表示される建物アイコンを識別可能に表示する。例えば、建物アイコンに対して着色や変形、を行うことで、識別可能に表示がおこなわれる。図６は、前記変更手段１３による識別可能表示前の地図情報を示し、図７は、前記変更手段１３による識別可能表示後の地図情報を示す。対象となる建物アイコンである閉領域が着色乃至はハッチングされ、識別可能に表示されている。
【００４３】
次いで、図８〜図１０のフローチャートを用いて、本実施形態に関るマッピングシステム利用時の処理について説明する。図８は、地図情報と建物情報の紐付け及び、居住者情報、上水道情報、統合情報の紐付けを行う際の流れを示す図である。
【００４４】
Ｓ１において、地図上に建物アイコンが配置される。この建物アイコンが配置された地図情報に対して、建物情報の紐付けを行う（Ｓ２）。建物情報の紐付けが行われることによって、地図上の建物アイコンに対して、水道の使用者を一意に特定可能な情報である水栓情報が紐付けられる。ここで、集合住宅の場合には、個々の部屋に関る水栓番号を、部屋番号情報に関連付ける。
【００４５】
地図情報に対して建物情報並びに水栓番号が紐付けられたなら、居住者情報の更新を行い、建物情報に対して居住者情報の紐付けを行う。居住者情報の更新が行われる場合には（Ｓ３でＹ）、居住者情報の紐づけ処理を行なう（Ｓ４）。建物情報に対して居住者情報が紐付けられ、上水道情報の更新行われる場合には（Ｓ５でＹ）、水栓番号などを用いて上水道情報の紐付けを行う（Ｓ６）。更に、統合情報の更新行われる場合には（Ｓ７でＹ）、使用者情報に含まれる使用者名や、建物情報に含まれる住所情報などを用いて統合情報の紐付けを行う（Ｓ７）。これにより、地図情報に対して、水栓番号を主とする様々な情報が紐づけられる。
【００４６】
次いで、図９を用いて、Ｓ４における居住者情報の紐づけ処理について説明する。
まず、Ｓ１１において、使用者情報の入力が行われる。使用者情報は、水道のメータ検針の業務や水道の利用開始・停止などの水道関連業務によって、水栓番号と紐付いた状態で取得される。使用者情報は、水道関連業務を行う検針員等の所有する携帯端末等によって取得される。携帯端末への入力をマッピングサーバ２において受け取り、自動的に種々の情報の更新を行うように構成してもよい。なお、Ｓ５における上水道情報の入力や、Ｓ７における統合情報の入力についても、本フローチャートと同様の流れで更新を行うことができる。
【００４７】
Ｓ１２では、入力された使用者情報に関連付いた水栓番号に基づいて、既に記憶部３に記憶された同様の水栓番号を有する居住者情報を抽出する。該当する居住者情報が抽出されたなら、変更箇所の表示を行う（Ｓ１３）。
【００４８】
そして、変更箇所についての許諾を受けて（Ｓ１４）、居住者情報の更新を行う（Ｓ１５）。このＳ１４における許諾は必ずしも必要ではなく、自動的に使用者情報に基づいて居住者情報を更新する構成としてもよい。また、対応する居住者情報がない場合、例えば新しく建物に居住を始め、水道を契約した利用者情報についてのみ、許諾なしで居住者情報の更新を行うように構成してもよい。
【００４９】
なお、居住者情報、上水道情報については水栓番号を用いて抽出を行うのが簡単かつ好適な抽出方法得あるが、統合情報については、使用者名（居住者名）や、住所などで抽出を行うように構成してもよい。
【００５０】
図１０を用いて、変更手段１３による建物アイコンの識別表示について説明する。Ｓ２１では、絞込のための条件の入力を受け付ける。例えば、建物情報や上水道情報に含まれる貯水槽の有無やその大きさ、建物の利用用途についての情報、上水道情報に含まれる水道管の口径、利用情報に含まれる水道使用量の料金の支払い状況に関する情報、統合情報に含まれる独居老人であるか否かの情報、等様々な情報に基づいて地図情報の建物アイコンの表示を変更することができる。
【００５１】
まず、Ｓ２１において、絞込条件の入力を受け付ける。絞込条件が入力されたなら、建物アイコンに紐付けられた種々の情報に対して検索をかけ、該当する建物アイコンを抽出する（Ｓ２２）。そして、抽出された建物アイコンに、変更後の表示について予め設定された変更内容に基づいて表示変更処理を行なう（Ｓ２３）。
【００５２】
ここでは、予め設定された絞込条件とその変更内容を利用しているが、それらを利用者自身が設定し、利用可能であってもよい。また、複数の条件に基づいて表示させるような構成としてもよい。
【００５３】
本実施形態によれば、地図情報と建物情報とを紐付け、そこに更に居住者情報を紐付けることによって、居住者情報に変更があった際など容易に変更ができ、運用が効率化されたマッピングシステムを提供することができる。
【００５４】
また、地図上の建物アイコンを、目的に応じて絞り込んで表示の切替えを行うことができ、事業者が効果的に利用を行えるマッピングシステムを提供することができる。
【符号の説明】
【００５５】
１  マッピングシステム
１００  ＣＰＵ
１０１  メモリ
１０２  通信装置
１０３  入出力装置
１０４  ハードディスク
１０５  ＯＳ
１０６  マッピングプラグラム
２  マッピングサーバ
３  記憶部
４  建物紐付手段
５  居住者紐付手段
６  マッピング手段
７  出力手段
８  外部出力手段
９  受付手段
１０  抽出手段
１１  比較手段
１２  絞込手段
１３  変更手段
【要約】
【課題】運用の効率化及び、効果的な利用を可能とするマッピングシステムを提供することを課題とする。
【解決手段】建物アイコンを有する地図情報に対して、水栓番号を有する建物情報を関連付け、前記建物情報に対して水栓番号を有する居住者情報を関連付けるマッピングサーバと、前記地図情報、前記建物情報、前記居住者情報を記憶した記憶部と、を備えたマッピングシステムであって、前記マッピングサーバは、前記地図情報に対して、前記建物情報を関連付ける建物紐付手段と、前記地図情報に関連付けられた建物情報に対して、水栓番号に基づいて居住者情報の関連付けを行う居住者紐付手段と、前記地図情報を出力するマッピング手段と、を有することを特徴とする。
【選択図】図１【図１】
0005781712.tif 000002
【図２】
0005781712.tif 000003
【図３】
0005781712.tif 000004
【図４】
0005781712.tif 000005
【図５】
0005781712.tif 000006
【図６】
0005781712.tif 000007
【図７】
0005781712.tif 000008
【図８】
0005781712.tif 000009
【図９】
0005781712.tif 000010
【図１０】
0005781712.tif 000011